(57)【特許請求の範囲】
【請求項１】
有線ネットワークに接続されている主装置と無線ネットワークに接続されている無線端末との間でマルチキャストパケットを含むパケット化されたデータを中継する無線アクセスポイントであって、
前記マルチキャストパケットの種類と前記マルチキャストパケットのマルチキャストアドレスを対応付けて記憶するアドレス記憶手段と、
自無線アクセスポイントが中継するデータに呼制御情報が含まれていた場合に、当該呼制御情報から特定の種類のマルチキャストパケットの受信を待っている無線端末を検出する受信待端末検出手段と、
前記受信待端末検出手段が検出した無線端末に当該無線端末のマルチキャストアドレスを前記アドレス記憶手段に記憶した前記特定の種類に対応するマルチキャストアドレスに変更するよう指示するアドレス変更指示手段と、
前記主装置から前記無線端末に送信する前記特定の種類に係るマルチキャストパケットを受信すると、受信したマルチキャストパケットのマルチキャストアドレスを前記マルチキャストアドレス変更指示手段で指示したマルチキャストアドレスに変更して前記無線端末に送信するマルチキャストアドレス変更送信手段と、
前記アドレス記憶手段が記憶する前記マルチキャストパケットの種類、当該マルチキャストパケットを送信するためのマルチキャストアドレスおよび前記受信待端末検出手段が検出したマルチキャストパケット受信待ちの無線端末のアドレスをアクセスポイント情報として、他無線アクセスポイントに通知するアクセスポイント情報通知手段と、
他無線アクセスポイントからアクセスポイント情報を受信すると、当該アクセスポイント情報を記憶する他アクセスポイント情報記憶手段と、
当該アクセスポイント情報に係る無線端末が自無線アクセスポイントに帰属すると、前記記憶したアクセスポイント情報から前記マルチキャストアドレス変更送信手段を実行する他アクセスポイント情報設定手段と、を有する
ことを特徴とする端末情報転送機能を有する無線アクセスポイント。
【請求項２】
請求項１に記載の無線アクセスポイントであって、
前記アクセスポイント情報通知手段は、
前記受信待端末検出手段により検出されたマルチキャストパケットの受信待ち状態にある無線端末のアドレスと、前記無線端末が受信待ちのマルチキャストパケットの種類を前記有線ネットワークを介して他無線アクセスポイントへ通知する
ことを特徴とする端末情報転送機能を有する無線アクセスポイント。
【請求項３】
請求項１または２のいずれか一項に記載の無線アクセスポイントであって、
無線端末がハンドオーバーを実施してきた場合、前記アクセスポイント情報記憶手段に記憶しているアクセスポイント情報を参照し、前記アクセスポイント情報記憶手段に記憶されている無線端末であれば、マルチキャストパケットの送出を開始する
ことを特徴とする端末情報転送機能を有する無線アクセスポイント。
【発明の詳細な説明】
【技術分野】
【０００１】
本発明は、主装置および無線端末間の中継技術に関する。
【背景技術】
【０００２】
ＩＥＥＥ８０２．１１の無線ＬＡＮ技術を用いた無線電話システムにおいて、主装置および無線電話端末間を中継する無線アクセスポイントは、主装置から無線電話端末宛のユニキャストパケットを受信した場合、ＴＩＭ（Ｔｒａｆｆｉｃ  Ｉｎｄｉｃａｔｉｏｎ  Ｍａｐ）を含むビーコンを送信する。その後、この無線電話端末からこの無線電話端末宛のパケット送信を要求するためのＰＳ−ＰＯＬＬ信号を受信すると、無線アクセスポイントは、この無線電話端末にこのユニキャストパケットを無線送信する。また、無線アクセスポイントは、主装置からマルチキャストパケットを受信すると、ＤＴＩＭ（Ｄｅｌｉｖｅｒｙ  Ｔｒａｆｆｉｃ  Ｉｎｄｉｃａｔｉｏｎ  Ｍｅｓｓａｇｅ）を含むビーコンを送信し、その後、受信したマルチキャストパケットを無線送信する。なお、ＤＴＩＭは、定期的にビーコンに含めて無線送信される。
【０００３】
一方、無線電話端末は、通常、待ち受け時に省電力モードを使用する。省電力モードにおいて、無線電話端末は、定期的にスリープ状態からアウェイク状態に移行して、無線アクセスポイントのビーコンを受信する。そして、受信したビーコンに含まれているＴＩＭを解析することで、無線アクセスポイントに自無線電話端末宛のパケットが蓄積されているか否かを判断する。無線アクセスポイントに自無線電話端末宛のパケットが蓄積されている場合は、アウェイク状態を維持し、ＰＳ−ＰＯＬＬ信号を無線アクセスポイントに送信して、無線アクセスポイントから自無線電話端末宛のユニキャストパケットを受信する。無線アクセスポイントに自無線電話端末宛のパケットが蓄積されていない場合は、速やかにアウェイク状態からスリープ状態に移行する。また、受信したビーコンにＤＴＩＭが含まれている場合は、アウェイクを維持し、無線アクセスポイントからマルチキャストパケットを受信する。
【０００４】
また、特許文献１には、無駄な無線送信を低減できる無線ＬＡＮシステムが開示されている。この無線ＬＡＮシステムにおいて、無線アクセスポイント（親局装置）は、配下の無線電話端末（子局装置）を管理する。そして、無線アクセスポイントは、主装置（ホスト）から受信したマルチキャストパケットが、配下の無線電話端末が属するグループ以外のグループに宛てたパケットである場合、このパケットを無線送信することなく廃棄する。このようにすることにより、無駄な無線送信を低減する。
【０００５】
【特許文献１】特開２０００−３２４１２０号公報
【発明の開示】
【発明が解決しようとする課題】
【０００６】
しかし、特許文献１に記載の技術では、無線アクセスポイントは、主装置から受信したマルチキャストパケットの宛先グループに配下の無線電話端末が所属している場合、この受信したマルチキャストパケットを無線送信する。そして、省電力モード中の配下の無線電話端末は、無線アクセスポイントから無線送信された、自無線電話端末が所属するグループ宛のマルチキャストパケットに、スリープ状態を解除してまで必要な情報が格納されていない場合でも、このパケットを受信するためにアウェイク状態を維持する。このため、バッテリを無駄に消耗してしまう。
また、同じ無線アクセスポイントが複数台存在した場合は考慮されていない。
【０００７】
本発明は上記事情に鑑みてなされたものであり、本発明の目的は、無線電話端末のバッテリ消耗を低減することができ、無線端末がマルチキャストパケットを受信しながら無線アクセスポイント間を移動する場合に、滞りなくマルチキャストパケットの受信を継続することが出来る無線アクセスポイントの技術を提供する。
【０００８】
上記課題を解決するために、本発明では、マルチキャストパケットの受信待ち状態にある無線端末のマルチキャストアドレスを、この無線端末が受信を待っているマルチキャストパケットの種類に対応付けられている所定のマルチキャストアドレスに変更する。また、主装置より受信したマルチキャストパケットのマルチキャストアドレスを、このマルチキャストパケットの種類に対応付けられている所定のマルチキャストアドレスに変更し、それから無線送信する。さらに、受信待ち状態にある無線端末と、この無線端末が受信を待っているマルチキャストパケットの種類を有線ネットワークに送信し、他の無線アクセスポイントに通達する。
【０００９】
例えば、本発明は、有線ネットワークに接続されている主装置と無線ネットワークに接続されている無線端末との間でマルチキャストパケットを含むパケット化されたデータを中継する無線アクセスポイントであって、前記マルチキャストパケットの種類と前記マルチキャストパケットのマルチキャストアドレスを対応付けて記憶するアドレス記憶手段と、自無線アクセスポイントが中継するデータに呼制御情報が含まれていた場合に、当該呼制御情報から特定の種類のマルチキャストパケットの受信を待っている無線端末を検出する受信待端末検出手段と、前記受信待端末検出手段が検出した無線端末に当該無線端末のマルチキャストアドレスを前記アドレス記憶手段に記憶した前記特定の種類に対応するマルチキャストアドレスに変更するよう指示するアドレス変更指示手段と、前記主装置から前記無線端末に送信する前記特定の種類に係るマルチキャストパケットを受信すると、受信したマルチキャストパケットのマルチキャストアドレスを前記マルチキャストアドレス変更指示手段で指示したマルチキャストアドレスに変更して前記無線端末に送信するマルチキャストアドレス変更送信手段と、前記アドレス記憶手段が記憶する前記マルチキャストパケットの種類、当該マルチキャストパケットを送信するためのマルチキャストアドレスおよび前記受信待端末検出手段が検出したマルチキャストパケット受信待ちの無線端末のアドレスをアクセスポイント情報として、他無線アクセスポイントに通知するアクセスポイント情報通知手段と、他無線アクセスポイントからアクセスポイント情報を受信すると、当該アクセスポイント情報を記憶する他アクセスポイント情報記憶手段と、当該アクセスポイント情報に係る無線端末が自無線アクセスポイントに帰属すると、前記記憶したアクセスポイント情報から前記マルチキャストアドレス変更送信手段を実行する他アクセスポイント情報設定手段と、を有することを特徴とする。
【発明の効果】
【００１０】
本発明によれば、主装置より受信したマルチキャストパケットを、このマルチキャストパケットと同じ種類のマルチキャストパケットの受信待ち状態にある無線端末のみに受信させることができる。これにより、省電力モード中の無線端末におけるアウェイク状態の持続時間を短縮することができ、無線端末のバッテリ消耗を低減できる。当該無線アクセスポイント間を無線端末が移動しても、マルチキャストパケットの受信を継続することが出来る。
【発明を実施するための最良の形態】
【００１１】
以下、本発明の実施の形態について説明する。ここでは、無線端末として無線電話端末を含む無線電話システムへの適用例を挙げて説明する。
【００１２】
図１は、本発明の一実施の形態が適用された無線電話システムの概略構成図である。
【００１３】
図示するように、本実施の形態の無線電話システムは、主装置（あるいはサーバ）１と、主装置１に収容された複数の無線電話端末２と、主装置１および自管轄エリアである無線ＬＡＮ５（Ｌｏｃａｌ  Ａｒｅａ  Ｎｅｔｗｏｒｋ）に所属する無線電話端末２間を中継する無線ＬＡＮアクセスポイント３と、主装置１および無線ＬＡＮアクセスポイント３間を相互接続する有線ＬＡＮ４と、を有する。
【００１４】
主装置１は、無線電話端末２の呼制御サーバとしての機能を有する。また、主装置１は、着信音、ＤＴ（Ｄｉａｌ  Ｔｏｎｅ）、ＲＢＴ（Ｒｉｎｇｉｎｇ  Ｂａｃｋ  Ｔｏｎｅ）、ＢＴ（Ｂｕｓｙ  Ｔｏｎｅ）、保留音等の音情報を格納したパケットを、マルチキャストで有線ＬＡＮ４上に送出する。以下、このマルチキャストパケットを楽音パケットと呼ぶ。
【００１５】
無線電話端末２は、無線ＬＡＮアクセスポイント３から無線送信された自無線電話端末宛てのユニキャストパケット、および自無線電話端末が所属するグループ宛のマルチキャストパケットを受信し、処理する。ここで、無線電話端末２は、アクティブモードおよび省電力モードのいずれかの動作モードで動作する。
【００１６】
本実施の形態では、無線ＬＡＮアクセスポイント３は複数台で構成され（３−１，３−２）、無線電話端末２−１は、無線ＬＡＮアクセスポイント３−１の管轄エリアである無線ＬＡＮ５−１に所属する無線電話端末であり、無線電話端末２−２は、無線ＬＡＮアクセスポイント３−２の管轄エリアである無線ＬＡＮ５−２に所属する無線電話端末である。
【００１７】
アクティブモードにおいて、無線電話端末２は、常にアウェイク状態となっており、無線ＬＡＮアクセスポイント３から無線送信された自無線電話端末宛てのユニキャストパケット、および自無線電話端末が所属するグループ宛のマルチキャストパケットを受信する。
【００１８】
また、省電力モードにおいて、無線電話端末２は、定期的にスリープ状態からアウェイク状態に移行して、無線ＬＡＮアクセスポイント３のビーコンを受信する。そして、受信したビーコンに含まれているＴＩＭを解析することで、無線ＬＡＮアクセスポイント３に自無線電話端末宛のパケットが蓄積されているか否かを判断する。無線ＬＡＮアクセスポイント３に自無線電話端末宛のパケットが蓄積されている場合は、アウェイク状態を維持し、ＰＳ−ＰＯＬＬ信号を無線ＬＡＮアクセスポイント３に送信して、無線ＬＡＮアクセスポイント３から、自無線電話端末宛のユニキャストパケットを受信する。一方、無線ＬＡＮアクセスポイント３に自無線電話端末宛のパケットが蓄積されていないと判断した場合は、速やかにアウェイク状態からスリープ状態に移行する。また、無線電話端末２は、受信したビーコンにＤＴＩＭが含まれている場合、アウェイクを維持し、無線アクセスポイントからマルチキャストパケットを受信する。
【００１９】
また、無線電話端末２は、無線ＬＡＮアクセスポイント３より受信したマルチキャストアドレス変更指示に従い、自無線電話端末が所属するグループのマルチキャストアドレスを変更する。
【００２０】
また、本実施形態において無線電話端末２は、無線LANアクセスポイント３−１から無線LANアクセスポイント３−２へ、または無線LANアクセスポイント３−２から無線LANアクセスポイント３−１への帰属の切り替えを、無線LANハンドオーバーの手順に従って実行する。
【００２１】
図２は、無線電話端末２の概略機能ブロック図である。
【００２２】
図示するように、無線電話端末２は、無線ＬＡＮパケット送受信部２０１と、ビーコン受信部２０２と、ＭＭ（ＭＡＮ  ＭＡＣＨＩＮＥ）インターフェース部２０３と、動作モード制御部２０４と、動作モード設定部２０５と、通信プロトコル処理部２０６と、マルチキャストアドレス変更部２０７と、を有する。
【００２３】
無線ＬＡＮパケット送受信部２０１は、無線ＬＡＮ５のインターフェース制御機能を有し、無線ＬＡＮ５を介して、無線ＬＡＮアクセスポイント３とパケットを送受信する。
【００２４】
ビーコン受信部２０２は、無線ＬＡＮアクセスポイント３が定期的に送信するビーコンを、無線ＬＡＮパケット送受信部２０１を介して受信する。
【００２５】
ＭＭインターフェース部２０３は、ユーザに情報を提示したり、ユーザから情報を受け付けたりするためのインターフェースであり、スピーカ、マイク等の音声入出力部、ＬＣＤ表示、ＬＥＤ表示等の表示部、および入力キー等の操作部を有する。
【００２６】
動作モード制御部２０４は、無線電話端末２の動作モードを制御する。上述したように、無線電話端末２の動作モードには、アクティブモードと、省電力モードとがある。
【００２７】
動作モード設定部２０５は、動作モード制御部２０４に、無線電話端末２の動作モードを設定する。
【００２８】
通信プロトコル処理部２０６は、無線電話端末２の通信プロトコル（ＳＩＰ（Ｓｅｓｓｉｏｎ  Ｉｎｉｔｉａｔｉｏｎ  Ｐｒｏｔｏｃｏｌ）等の呼制御プロトコル、およびＲＴＰ（Ｒｅａｌ  Ｔｉｍｅ  Ｔｒａｎｓｆｅｒ  Ｐｒｏｔｏｃｏｌ）等のデータ伝送プロトコル）を処理する。これにより、無線電話端末２の通信制御、および通話データの符号化・復号化を行う。
【００２９】
マルチキャストアドレス変更部２０７は、無線ＬＡＮパケット送受信部２０１を介して無線ＬＡＮアクセスポイント３から受信したユニキャストパケットに格納されているマルチキャストアドレス変更指示に従い、自無線電話端末が所属するグループのマルチキャストアドレスを変更する。
【００３０】
図３は、無線電話端末２の省電力モードでの動作フローを説明するための図である。なお、アクティブモードでの動作フローは、既存の無線電話端末と同様であるので、その詳細な説明を省略する。
【００３１】
動作モード制御部２０４は、所定のビーコン受信タイミングになると（Ｓ１０１で「ＹＥＳ」）、自無線電話端末をスリープ状態からアウェイク状態に移行させる（Ｓ１０２）。これにより、ビーコン受信部２０２は、無線ＬＡＮアクセスポイント３から定期的に送信されるビーコンを受信する（Ｓ１０３）。
【００３２】
次に、ビーコン受信部２０２は、ビーコンを解析する（Ｓ１０４）。
【００３３】
この解析の結果、受信したビーコンに含まれているＴＩＭが無線ＬＡＮアクセスポイント３に自無線電話端末宛のパケットが蓄積されていないことを示しており、且つ受信したビーコンにＤＴＩＭが含まれていない場合（Ｓ１０４で「なし」）、ビーコン受信部２０２は、その旨を動作モード制御部２０４に通知する。これを受けて、動作モード制御部２０４は、速やかに自無線電話端末をアウェイク状態からスリープ状態に移行させ（Ｓ１１１）、Ｓ１０１に戻る。
【００３４】
また、この解析の結果、受信したビーコンにＤＴＩＭが含まれている場合（Ｓ１０４で「ＤＴＩＭに自無線電話端末所属グループのマルチキャストアドレスあり」）、ビーコン受信部２０２は、その旨を無線ＬＡＮパケット送受信部２０１に通知する。これを受けて、アウェイク状態を維持し、無線ＬＡＮパケット送受信部２０１は、無線ＬＡＮアクセスポイント３から、自無線電話端末が所属するグループのマルチキャストアドレスを宛先とするマルチキャストパケットが送られてくるのを待つ。そして、自無線端末が所属するグループのマルチキャストアドレスを宛先とするマルチキャストパケットを受信したならば（Ｓ１０５）、これを通信プロトコル処理部２０６に渡す。これを受けて、通信プロトコル処理部２０６は、無線ＬＡＮパケット送受信部２０１から受け取ったマルチキャストパケットのペイロードに格納されているパケット（ＳＩＰ等の呼制御パケット、ＲＴＰ等のデータ伝送パケット）の内容に応じた処理を行う（Ｓ１０６）。その後、動作モード制御部２０４は、自無線電話端末をアウェイク状態からスリープ状態に移行させ（Ｓ１１１）、Ｓ１０１に戻る。
【００３５】
また、この解析の結果、受信したビーコンに含まれているＴＩＭが無線ＬＡＮアクセスポイント３に自無線電話端末宛のパケットが蓄積されていることを示している場合（Ｓ１０４で「ＴＩＭに自無線電話端末のユニキャストアドレスあり」）、ビーコン受信部２０２は、その旨を無線ＬＡＮパケット送受信部２０１に通知する。これを受けて、アウェイク状態を維持し、無線ＬＡＮパケット送受信部２０１は、ＰＳ−ＰＯＬＬ信号を無線ＬＡＮアクセスポイント３に送信して、無線ＬＡＮアクセスポイント３から、自無線電話端末を宛先とするユニキャストパケットを受信する（Ｓ１０７）。それから、無線ＬＡＮパケット送受信部２０１は、受信したユニキャストパケットを解析し、このユニキャストパケットがマルチキャストアドレス変更指示を格納しているか否かを調べる（Ｓ１０８）。
【００３６】
マルチキャストアドレス変更指示が格納されている場合（Ｓ１０８で「ＹＥＳ］）、無線ＬＡＮパケット送受信部２０１は、このマルチキャストアドレス変更指示をマルチキャストアドレス変更部２０７に渡す。これを受けて、マルチキャストアドレス変更部２０７は、無線ＬＡＮパケット送受信部２０１より受け取ったマルチキャストアドレス変更指示に従い、自無線電話端末が所属するグループのマルチキャストアドレスを、このマルチキャストアドレス変更指示により指定されたマルチキャストアドレスに変更する（Ｓ１０９）。それから、マルチキャストアドレス変更部２０７は、無線ＬＡＮパケット送受信部２０１を介して、無線ＬＡＮアクセスポイント３に変更完了通知のパケットを送信する（Ｓ１１０）。その後、動作モード制御部２０４は、自無線電話端末をアウェイク状態からスリープ状態に移行させ（Ｓ１１１）、Ｓ１０１に戻る。
【００３７】
一方、Ｓ１０８において、無線ＬＡＮアクセスポイント３から受信したユニキャストパケットにマルチキャストアドレス変更指示が格納されていない場合（Ｓ１０８で「ＮＯ］）、無線ＬＡＮパケット送受信部２０１は、このユニキャストパケットを通信プロトコル処理部２０６に渡す。これを受けて、通信プロトコル処理部２０６は、無線ＬＡＮパケット送受信部２０１から受け取ったユニキャストパケットのペイロードに格納されているパケット（ＳＩＰ等の呼制御パケット、ＲＴＰ等のデータ伝送パケット）の内容に応じた処理を行う（Ｓ１０６）。その後、動作モード制御部２０４は、自無線電話端末をアウェイク状態からスリープ状態に移行させ（Ｓ１１１）、Ｓ１０１に戻る。
【００３８】
図１に戻って説明を続ける。
【００３９】
無線ＬＡＮアクセスポイント３は、主装置１からユニキャストパケットを受信した場合、ＴＩＭを含むビーコンを送信する。その後、このユニキャストパケットの宛先アドレスにより特定される無線電話端末２からＰＳ−ＰＯＬＬ信号を受信すると、このユニキャストパケットを無線送信する。
【００４０】
また、無線ＬＡＮアクセスポイント３は、主装置１からマルチキャストパケットを受信した場合、ＤＴＩＭを含むビーコンを送信し、その後、このマルチキャストパケットを無線送信する。ここで、無線ＬＡＮアクセスポイント３は、主装置１から受信したマルチキャストパケットが、楽音パケットである場合、この楽音パケットのマルチキャストアドレスを、この楽音パケットに格納されている音情報の種類に応じて予め定められたマルチキャストアドレスに変更する。
【００４１】
なお、ＤＴＩＭは、定期的にビーコンに含めて無線送信される。
【００４２】
また、無線ＬＡＮアクセスポイント３は、楽音パケットの受信待ち状態にある無線電話端末２を、この無線電話端末２が受信を待っている楽音パケットに格納されている音情報の種類と共に検出する。
【００４３】
また、無線LANアクセスポイント３は、検出した楽音パケットの受信待ち状態にある無線電話端末２と音情報の種類を端末情報通知として有線ネットワーク上に送信する。
【００４４】
また、無線LANアクセスポイント３は、無線電話端末２が楽音パケット受信待ちの状態ではなくなった場合でもその旨を端末情報通知として有線ネットワークに送信する。
【００４５】
前記端末情報通知を受取った無線LANアクセスポイント３−２は他の無線LANアクセスポイント３−１の配下に存在する無線電話端末２が楽音パケットの受信待ちか否か、受信待ちである場合はどの楽音パケットの受信待ちであるかを知る。
【００４６】
また、無線LANアクセスポイント３−２は端末情報通知によって知らされた無線電話端末２のいずれかがハンドオーバーしてきた場合、端末情報通知を参照し、楽音パケット受信待ち状態であった場合は、楽音マルチキャストパケットを送信する。
【００４７】
図４は、無線ＬＡＮアクセスポイント３の概略図である。
【００４８】
図示するように、無線ＬＡＮアクセスポイント３は、有線ＬＡＮパケット送受信部３０１と、無線ＬＡＮパケット送受信部３０２と、ビーコン送信部３０３と、上り中継部３０４と、下り中継部３０５と、マルチキャストアドレス記憶部３０６と、楽音パケット受信待ち端末検出部３０７と、端末状態記憶部３０８と、マルチキャストアドレス変更指示部３０９と、端末情報通知検出部３１０と、端末情報通知送信部３１１と、を有する。
【００４９】
有線ＬＡＮパケット送受信部３０１は、有線ＬＡＮ４のインターフェース制御機能を有し、有線ＬＡＮ４を介して、主装置１とパケットを送受信する。
【００５０】
無線ＬＡＮパケット送受信部３０２は、無線ＬＡＮ５のインターフェース制御機能を有し、無線ＬＡＮ５を介して、自アクセスポイント３が管理する無線電話端末（配下の無線電話端末）２とパケットを送受信する。
【００５１】
ビーコン送信部３０３は、配下の無線電話端末２に、無線ＬＡＮアクセスポイント３の管轄エリア（無線ＬＡＮ５）を通知するためのビーコンを、無線ＬＡＮパケット送受信部３０２を介して定期的に送信する。
【００５２】
上り中継部３０４は、無線ＬＡＮパケット送受信部３０２が配下の無線電話端末２から受信したパケットを有線ＬＡＮパケット送受信部３０１に中継（ブリッジ）する。
【００５３】
下り中継部３０５は、有線ＬＡＮパケット送受信部３０１が主装置１から受信したパケットを無線ＬＡＮパケット送受信部３０２に中継（ブリッジ）する。ここで、下り中継部３０５は、主装置１から受信したパケットが楽音パケットである場合、端末状態記憶部３０８を参照し、この楽音パケットと同じ種類の楽音パケットの受信待ち状態にある無線電話端末２があるか否かを調べる。このような無線電話端末２がある場合は、マルチキャストアドレス記憶部３０６を参照し、この楽音パケットの宛先アドレスを、この楽音パケットの種類に対応付けられて予め登録されているマルチキャストアドレスに変更し、それから、この楽音パケットを無線ＬＡＮパケット送受信部３０２に中継する。一方、このような無線電話端末２がない場合は、この楽音パケットを無線ＬＡＮパケット送受信部３０２に中継することなく破棄する。さらに、他の無線アクセスポイント３から無線電話端末２がハンドオーバーしてきた場合、端末状態記憶部３０８を参照し、この楽音パケットと同じ種類の楽音パケットの受信待ち状態にある無線電話端末２であるか否かを調べる。この楽音パケットを受信している無線電話端末２が存在していない時にハンドオーバーしてきた場合、これまで破棄していたこの楽音パケットを破棄することを停止し、この楽音パケットの宛先アドレスを、この楽音パケットの種類に対応付けられて予め登録されているマルチキャストアドレスに変更し、それから、この楽音パケットを無線ＬＡＮパケット送受信部３０２に中継する。
【００５４】
マルチキャストアドレス記憶部３０６には、楽音パケットの種類毎に、その種類の楽音パケットを受信するためのマルチキャストアドレスが記憶されている。図５は、マルチキャストアドレス記憶部３０６の登録内容例を模式的に表した図である。図示するように、マルチキャストアドレス記憶部３０６には、楽音パケットの種類毎にレコード３０６０が記憶されている。レコード３０６０は、「保留音」、「着信音」、「ＲＢＴ」、「ＢＴ」、「ＤＴ」等の楽音パケットの種類を登録するためのフィールド３０６１と、楽音パケットを受信するためのマルチキャストアドレスを登録するためのフィールド３０６２と、を有する。
【００５５】
楽音パケット受信待ち端末検出部３０７は、上り中継部３０４および下り中継部３０５を監視し、無線電話端末２毎に、無線電話端末２が主装置１と送受する呼制御パケットに基づいて、この無線電話端末２が楽音パケットの受信待ち状態にあるか否か、および、この無線電話端末２が楽音パケットの受信待ち状態にある場合に、この無線電話端末２が受信を待っている楽音パケットの種類を検出する。
【００５６】
端末情報通知検知部３１０は、下り中継部３０５を監視し、他無線アクセスポイント３から送信される端末情報を検出し、端末状態記憶部３０８に記憶する。
【００５７】
端末情報通知送信部３１１は、自無線アクセスポイント管理下にある端末情報を自アドレスと共に上り中継部３０４を使用して有線ＬＡＮ４へ送信する。
【００５８】
ここで、楽音パケットの受信待ち状態の検出、および受信を待っている楽音パケットの種類の検出には、例えば図６に示すような判断テーブルが用いられる。図６において、カラム３０７１は楽音パケットの種類を、カラム３０７２は同一ラインのカラム３０７１に登録されている種類の楽音パケットの受信待ち状態が開始されたことを検出するためのイベント（呼制御パケットのやり取り）を、そして、カラム３０７３は同一ラインのカラム３０７１に登録されている種類の楽音パケットの受信待ち状態が停止したことを検出するためのイベント（呼制御パケットのやり取り）を示している。
【００５９】
図６に示す例によれば、着信音の楽音パケットの受信待ち状態の開始は、無線電話端末２が主装置１からＩＮＶＩＴＥパケットを受信することで検出され、その停止は、無線電話端末２が主装置１に２００ＯＫ（オフフック）パケットを送信することで検出される。また、ＤＴの楽音パケットの受信待ち状態の開始は、無線電話端末２が主装置１にＩＮＶＩＴＥパケットを送信することで検出され、その停止は、無線電話端末２が主装置１にダイヤル情報パケットを送信することで検出される。また、ＲＢＴの楽音パケットの受信待ち状態の開始は、無線電話端末２が主装置１から１８０Ｒｉｎｇｉｎｇパケットを受信することで検出され、その停止は、無線電話端末２が主装置１から２００ＯＫパケットを受信することで検出される。また、ＢＴの楽音パケットの受信待ち状態の開始は、無線電話端末２が主装置１からＢＹＥパケットを受信することで検出され、その停止は、無線電話端末２が主装置１に２００ＯＫパケットを送信することで検出される。また、保留音の楽音パケットの受信待ち状態の開始は、無線電話端末２が主装置１に保留音要求パケットを送信することで検出され、その停止は、の無線電話端末２が主装置１から保留音解除パケットを受信することで検出される。
【００６０】
端末状態記憶部３０８は、無線電話端末２毎に、楽音パケットの受信待ち状態あるか否か、および、この無線電話端末２が楽音パケットの受信待ち状態にある場合に、この無線電話端末２が受信を待っている楽音パケットの種類が登録される。また、端末状態記憶部３０８は、端末情報通知検出部３１０より検出された他の無線LANアクセスポイント３の配下にある楽音パケット受信待ち端末状態も登録する。さらに、端末状態記憶部３０８に記憶された無線電話端末２の状態を端末情報通知送信部により有線ネットワークへ送信する。
【００６１】
図７は、端末状態記憶部３０８の登録内容例を模式的に表した図である。図示するように、端末状態記憶部３０８には、自無線アクセスポイントも含めた無線アクセスポイント３毎にレコード３０８０が登録されている。レコード３０８０は無線LANアクセスポイント３のアドレスが登録されたフィールド３０８１と、無線電話端末２のアドレスが登録されたフィールド３０８２と、無線電話端末２が楽音パケットの受信待ち状態にあるか否かを表す情報を登録するためのフィールド３０８３と、無線電話端末２が楽音パケットの受信待ち状態にある場合に、この無線電話端末２が受信を待っている楽音パケットの種類を登録するためのフィールド３０８４と、を有する。
【００６２】
マルチキャストアドレス変更指示部３０９は、端末状態記憶部３０８を参照して、楽音パケットの受信待ち状態が変化した無線電話端末２を検出し、この検出した無線電話端末２のアドレスを宛先とするマルチキャストアドレス変更指示を格納したパケットを生成し、これを無線ＬＡＮパケット送受信部３０２に渡す。具体的には、フィールド３０８３の登録内容（楽音パケットの受信待ち状態）が「いいえ」から「はい」に変化したレコード３０８０を検出した場合、このレコード３０８０のフィールド３０８３に登録されているユニキャストアドレスをパケットの宛先アドレスに設定する。また、このレコード３０８０のフィールド３０８４に登録されている種類をキーとして、マルチキャストアドレス記憶部３０６からレコード３０６０を検索する。そして、検索したレコード３０６０のフィールド３０６２に登録されているマルチキャストアドレスへの変更を指示するマルチキャストアドレス変更指示をこのパケットに格納し、このパケットを無線ＬＡＮパケット送受信部３０２に渡す。
【００６３】
次に、上記構成の無線ＬＡＮアクセスポイント３について、配下の無線電話端末２に対してマルチキャストアドレスの変更を指示する場合の動作（マルチキャストアドレス変更指示動作）、および有線ＬＡＮ４から受信したパケットを無線ＬＡＮ５に中継する場合の動作（下り中継動作と呼ぶ）を説明する。なお、無線ＬＡＮ５から受信したパケットを有線ＬＡＮ４に中継する場合の動作（上り中継動作と呼ぶ）は、既存の無線ＬＡＮアクセスポイントの上り中継動作と同様であるので、その説明を省略する。
【００６４】
図８は、無線ＬＡＮアクセスポイント３のマルチキャストアドレス変更指示動作を説明するためのフロー図である。
【００６５】
楽音パケット受信待ち端末検出部３０７は、上り中継部３０４および下り中継部３０５を監視し、上り中継部３０４あるいは下り中継部３０５が呼制御パケットを中継したか否かを検出する（Ｓ２０１）。上り中継部３０４あるいは下り中継部３０５が呼制御パケットを中継したならば（Ｓ２０１で「ＹＥＳ」）、楽音パケット受信待ち端末検出部３０７は、この呼制御パケットの中継行為が楽音パケットの受信待ち状態開始イベント（図６参照）に該当するか否かを判断する（Ｓ２０２）。
【００６６】
具体的には、呼制御パケットの中継行為が下り中継部３０５によるＩＮＶＩＴＥパケットの下り中継動作である場合、この行為は、着信音を格納した楽音パケットの受信待ち状態開始イベント「ＩＮＶＩＴＥパケット受信」に該当すると判断する。また、呼制御パケットの中継行為が上り中継部３０４によるＩＮＶＩＴＥパケットの上り中継動作である場合、この行為は、ＤＴを格納した楽音パケットの受信待ち状態開始イベント「ＩＮＶＩＴＥパケット送信」に該当すると判断する。また、呼制御パケットの中継行為が下り中継部３０５による１８０Ｒｉｎｇｉｎｇパケットの下り中継動作である場合、この動作は、ＲＢＴを格納した楽音パケットの受信待ち状態開始イベント「１８０Ｒｉｎｇｉｎｇパケット受信」に該当すると判断する。また、呼制御パケットの中継行為が下り中継部３０５によるＢＹＥパケットの下り中継動作である場合、この行為は、ＢＴを格納した楽音パケットの受信待ち状態開始イベント「ＢＹＥパケット受信」に該当すると判断する。そして、呼制御パケットの中継行為が上り中継部３０４による保留音要求パケットの上り中継動作である場合、この行為は、保留音を格納した楽音パケットの受信待ち状態開始イベント「保留音要求パケット送信」に該当すると判断する。
【００６７】
Ｓ２０２において、呼制御パケットの中継行為が楽音パケットの受信待ち状態開始イベントに該当すると判断した場合（Ｓ２０２で「ＹＥＳ」）、楽音パケット受信待ち端末検出部３０７は、この呼制御パケットが下り中継部３０５により下り中継されたものであれば、この呼制御パケットの宛先アドレスをキーとして、また、この呼制御パケットが上り中継部３０４により上り中継されたものであれば、この呼制御パケットの送信元アドレスをキーとして、端末状態記憶部３０８からレコード３０８０を検索し、検索したレコード３０８０のフィールド３０８２に登録されている情報が表す受信待ち状態を調べる。取得した情報が、楽音パケットの受信待ち状態ではないことを表す情報（図７では「いいえ」）の場合（Ｓ２０３でＹＥＳ）、Ｓ２０４に進み、楽音パケットの受信待ち状態であることを表す情報（図７では「はい」）の場合は（Ｓ２０３でＮＯ）、Ｓ２０１に戻る。
【００６８】
Ｓ２０４において、楽音パケット受信待ち端末検出部３０７は、Ｓ２０３で検索したレコード３０８０のフィールド３０８２に登録されている情報を、受信待ち状態にないことを表す「いいえ」から、待ち受け状態にあることを表す「はい」に変更すると共に、このレコード３０８０のフィールド３０８３に、該当する楽音パケットの受信待ち状態開始イベントに対応付けられている楽音パケット種類（図６参照）を登録する。
【００６９】
さて、マルチキャストアドレス変更指示部３０９は、Ｓ２０３で検索されたレコード３０８０のフィールド３０８２に登録されている情報が、待ち受け状態にないことを表す「いいえ」から、待ち受け状態にあることを表す「はい」に変更されたことを検出したならば、このレコード３０８０のフィールド３０８３に登録されている楽音パケット種類をキーにして、マルチキャストアドレス記憶部３０６からレコード３０６０を検索する。そして、検索したレコード３０６０のフィールド３０６２に登録されているマルチキャストアドレスへの変更を指示するマルチキャストアドレス変更指示を生成する（Ｓ２０５）。
【００７０】
それから、マルチキャストアドレス変更指示部３０９は、Ｓ２０３で検索されたレコード３０８０のフィールド３０８１に登録されているアドレスを宛先とし、Ｓ２０５で生成したマルチキャストアドレス変更指示を格納したパケットを生成する。そして、このパケットを無線ＬＡＮパケット送受信部３０２から無線ＬＡＮ５に送信する（Ｓ２１０）。
【００７１】
すなわち、マルチキャストアドレス変更指示部３０９は、生成したパケットを無線ＬＡＮパケット送受信部３０２に渡す。これを受けて、無線ＬＡＮパケット送受信部３０２は、ビーコン送信部３０３を制御し、ＴＩＭを含むビーコンを送信する。その後、この生成したパケットの宛先アドレスにより特定される無線電話端末２からＰＳ−ＰＯＬＬ信号を受信すると、この生成したパケットを無線送信する。
【００７２】
次に、パケットの宛先の無線電話端末２からマルチキャストアドレス変更の完了通知パケットを受信したならば（Ｓ２１１で「ＹＥＳ」）、有線ネットワーク上へ端末情報を送信し(Ｓ２１２)、Ｓ２０１に戻る。
【００７３】
一方、Ｓ２０２において、呼制御パケットの中継行為が楽音パケットの受信待ち状態開始イベントに該当しないと判断した場合（Ｓ２０２で「ＮＯ」）、楽音パケット受信待ち端末検出部３０７は、この呼制御パケットの中継行為が楽音パケットの受信待ち状態停止イベント（図６参照）に該当するか否かを判断する（Ｓ２０６）。
【００７４】
具体的には、呼制御パケットの中継行為が上り中継部３０４による２００ＯＫパケットの上り中継動作である場合、この行為は着信音を格納した楽音パケットの受信待ち状態停止イベント「２００ＯＫ（オフフック）パケット送信」、あるいはＢＴを格納した楽音パケットの受信待ち状態停止イベント「２００ＯＫパケット送信」に該当すると判断する。また、呼制御パケットの中継行為が上り中継部３０４によるダイヤル情報パケットの上り中継動作である場合、この行為は、ＤＴを格納した楽音パケットの受信待ち状態停止イベント「ダイヤル情報パケット送信」に該当すると判断する。また、呼制御パケットの中継行為が下り中継部３０５による２００ＯＫパケットの下り中継動作である場合、この行為は、ＲＢＴを格納した楽音パケットの受信待ち状態停止イベント「２００ＯＫパケット受信」に該当すると判断する。そして、呼制御パケットの中継行為が下り中継部３０５による保留音解除パケットの下り中継動作である場合、この行為は、保留音を格納した楽音パケットの受信待ち状態停止イベント「保留解除パケット受信」に該当すると判断する。
【００７５】
Ｓ２０６において、呼制御パケットの中継行為が楽音パケットの受信待ち状態停止イベントに該当すると判断した場合（Ｓ２０６で「ＹＥＳ」）、楽音パケット受信待ち端末検出部３０７は、この呼制御パケットが下り中継部３０５により下り中継されたものであれば、この呼制御パケットの宛先アドレスをキーとして、また、この呼制御パケットが上り中継部３０４により上り中継されたものであれば、この呼制御パケットの送信元アドレスをキーとして、端末状態記憶部３０８からレコード３０８０を検索し、検索したレコード３０８０のフィールド３０８２に登録されている情報が表す受信待ち状態を調べる（Ｓ２０７）。取得した情報が、楽音パケットの受信待ち状態であることを表す「はい」の場合（Ｓ２０７でＹＥＳ）、Ｓ２０８に進み、楽音パケットの受信状態にないことを表す「いいえ」の場合は（Ｓ２０７でＮＯ）、Ｓ２０１に戻る。
【００７６】
楽音パケット受信待ち端末検出部３０７は、Ｓ２０７で検索したレコード３０８０のフィールド３０８２に登録されている情報を、受信待ち状態にあることを表す「はい」から、受信待ち状態にないことを表す「いいえ」に変更すると共に、このレコード３０８０のフィールド３０８３の登録内容をＮＵＬＬにする。
【００７７】
さて、マルチキャストアドレス変更指示部３０９は、Ｓ２０７で検索されたレコード３０８０のフィールド３０８２に登録されている情報が、受信待ち状態にあることを表す「はい」から、待ち受け状態にないことを表す「いいえ」に変更されたことを検出したならば、配下の無線電話端末２にデフォルト設定されているマルチキャストアドレスへの変更を指示するマルチキャストアドレス変更指示を生成する（Ｓ２０９）。
【００７８】
それから、マルチキャストアドレス変更指示部３０９は、Ｓ２０７で検索されたレコード３０８０のフィールド３０８１に登録されているアドレスを宛先とし、Ｓ２０９で生成したマルチキャストアドレス変更指示を格納したパケットを生成する。そして、このパケットを無線ＬＡＮパケット送受信部３０２から無線ＬＡＮ５に送信する（Ｓ２１０）。
【００７９】
すなわち、マルチキャストアドレス変更指示部３０９は、生成したパケットを無線ＬＡＮパケット送受信部３０２に渡す。これを受けて、無線ＬＡＮパケット送受信部３０２は、ビーコン送信部３０３を制御し、ＴＩＭを含むビーコンを送信する。その後、この生成したパケットの宛先アドレスにより特定される無線電話端末２からＰＳ−ＰＯＬＬ信号を受信すると、この生成したパケットを無線送信する。
【００８０】
次に、パケットの宛先の無線電話端末２からマルチキャストアドレス変更の完了通知パケットを受信したならば（Ｓ２１１で「ＹＥＳ」）、有線ネットワーク上へ端末情報を送信し(Ｓ２１２)、Ｓ２０１に戻る。
【００８１】
図９は、無線ＬＡＮアクセスポイント３の下り中継動作を説明するためのフロー図である。
【００８２】
有線ＬＡＮパケット送受信部３０１は、有線ＬＡＮ４からパケットを受信すると（Ｓ２２１で「ＹＥＳ」）、この受信したパケットを下り中継部３０５に渡す。これを受けて、下り中継部３０５は、有線ＬＡＮパケット送受信部３０１から受け取ったパケットのヘッダ等に格納されている宛先アドレスおよび種別情報を参照し、このパケットが楽音パケットであるか否かを調べる（Ｓ２２２）。
【００８３】
有線ＬＡＮパケット送受信部３０１から受け取ったパケットが楽音パケットでない場合（Ｓ２２２で「ＮＯ」）、中継処理を行って、このパケットを無線ＬＡＮ５に送信する（Ｓ２２３）。
【００８４】
すなわち、下り中継部３０５は、このパケットを無線ＬＡＮパケット送受信部３０２に渡す。これを受けて、無線ＬＡＮパケット送受信部３０２は、このパケットがマルチキャストパケットである場合、ビーコン送信部３０３を制御し、ＤＴＩＭを含むビーコンを送信し、その後、このマルチキャストパケットを無線送信する。また、無線ＬＡＮパケット送受信部３０２は、このパケットがユニキャストパケットである場合、ＴＩＭを含むビーコンを送信する。その後、この生成したパケットの宛先アドレスにより特定される無線電話端末２からＰＳ−ＰＯＬＬ信号を受信すると、このユニキャストパケットを無線送信する。
【００８５】
一方、有線ＬＡＮパケット送受信部３０１から受け取ったパケットが楽音パケットである場合（Ｓ２２２で「ＹＥＳ」）、下り中継部３０５は、端末状態記憶部３０８を参照し、この楽音パケットと同じ種類の楽音パケットの受信待ち状態にある無線電話端末２があるか否かを調べる（Ｓ２２４）。具体的には、有線ＬＡＮパケット送受信部３０１から受け取った楽音パケットの種類がフィールド３０８３に登録されているレコード３０８０を、端末状態記憶部３０８から検索する。
【００８６】
有線ＬＡＮパケット送受信部３０１から受け取った楽音パケットと同じ種類の楽音パケットの受信待ち状態にある無線電話端末２がない場合（Ｓ２２４で「ＮＯ」）、下り中継部３０５は、この楽音パケットを中継することなく破棄する（Ｓ２２５）。
【００８７】
一方、有線ＬＡＮパケット送受信部３０１から受け取った楽音パケットと同じ種類の楽音パケットの受信待ち状態にある無線電話端末２がある場合（Ｓ２２４で「ＹＥＳ」）、下り中継部３０５は、この楽音パケットの種類に対応付けられてマルチキャストアドレス記憶部３０６に登録されているマルチキャストアドレスを特定する（Ｓ２２６）。それから、下り中継部３０５は、この楽音パケットの宛先アドレスを、この特定したマルチキャストアドレスに変更する（Ｓ２２７）。その後、中継処理を行って、この楽音パケットを無線ＬＡＮ５に送信する（Ｓ２２８）。
【００８８】
すなわち、下り中継部３０５は、この楽音パケットを無線ＬＡＮパケット送受信部３０２に渡す。これを受けて、無線ＬＡＮパケット送受信部３０２は、ビーコン送信部３０３を制御し、ＤＴＩＭを含むビーコンを送信する。その後、この楽音パケットを無線送信する。
【００８９】
図１０は、無線LANアクセスポイント３に無線電話端末２が帰属した場合の動作を説明するためのフロー図である。
【００９０】
無線LANアクセスポイント３は、無線電話端末２が帰属する(Ｓ２３１)と、端末状態記憶部３０８を参照し、他無線LANアクセスポイント３の帰属端末情報があるか否かを判断する(Ｓ２３２)。帰属端末情報が無い場合(Ｓ２３２で「NO」)、無線LANアクセスポイントは端末状態記憶部に帰属した無線電話端末の情報を追加し(Ｓ２３３)、図８記載のマルチキャストアドレス変更指示を実行する(Ｓ２３４)。
【００９１】
帰属端末情報がある場合（Ｓ２３２で「ＹＥＳ」）、楽音パケットを要求中か否かを判断する(Ｓ２３５)。楽音パケット要求中であった場合(Ｓ２３５で「ＹＥＳ」)、図９記載の無線ＬＡＮアクセスポイント下り中継動作を実行する（Ｓ２３７）。
【００９２】
楽音パケットを要求中ではなかった場合（Ｓ２３５で「ＮＯ」）、記憶している端末状態記憶部を更新し（Ｓ２３６）、図８記載のマルチキャストアドレス変更指示を実行する。
【００９３】
次に、本実施の形態に係る無線電話システムの動作例を説明する。
【００９４】
図１１は、無線電話端末２に呼が着信する場合におけるパケットの流れを示すシーケンス図であり、無線電話端末２がハンドオーバーする前後のパケットの流れを示している。
【００９５】
ＩＮＶＩＴＥパケットが無線ＬＡＮアクセスポイント３−１経由で主装置１から無線電話端末２に伝送されると（Ｓ３０１、Ｓ３０２）、無線ＬＡＮアクセスポイント３−１は、着信音を格納した楽音パケットの受信待ち状態開始イベント「ＩＮＶＩＴＥパケット受信」を検知する（Ｓ３０３）。そして、楽音パケットの種類「着信音」に対応付けられているマルチキャストアドレス「ＡＡＡ．ＢＢＢ．ＣＣＣ．ＥＥＥ」への変更を指示するマルチキャストアドレス変更指示を生成し（Ｓ３０４）、この指示を格納したパケットを、ＩＮＶＩＴＥパケットの宛先である無線電話端末２に送信する（Ｓ３０５）。これを受けて、無線電話端末２は、受信するマルチキャストパケットのマルチキャストアドレスを、マルチキャストアドレス変更指示で指定されたマルチキャストアドレス「ＡＡＡ．ＢＢＢ．ＣＣＣ．ＥＥＥ」に変更する（Ｓ３０６）。
【００９６】
次に無線ＬＡＮアクセスポイント３−１は端末情報通知パケット生成し(Ｓ３０７)、この端末情報を格納したパケットを無線ＬＡＮアクセスポイント３−２に送信する(Ｓ３０８)。これを受けた、無線ＬＡＮアクセスポイント３−２は、無線ＬＡＮアクセスポイント３−１の配下の端末情報を記憶する(Ｓ３０９)。
【００９７】
次に、１８０Ｒｉｎｇｉｎｇパケットが無線ＬＡＮアクセスポイント３−１経由で無線電話端末２から主装置１に伝送され（Ｓ３１０、Ｓ３１１）、これを受けて、主装置１が着信音を格納した楽音パケットを送信する（Ｓ３１２、Ｓ３１３）。無線ＬＡＮアクセスポイント３−１は、この楽音パケットを受信すると、この楽音パケットの宛先アドレス（マルチキャストアドレス）を、この楽音パケットの種類「着信音」に対応付けられているマルチキャストアドレス「ＡＡＡ．ＢＢＢ．ＣＣＣ．ＥＥＥ」に変更する（Ｓ３１４）。それから、この楽音パケットを無線送信する（Ｓ３１５）。ＩＮＶＩＴＥパケットの宛先である無線電話端末２は、受信するマルチキャストアドレスが「ＡＡＡ．ＢＢＢ．ＣＣＣ．ＥＥＥ」に変更されている。このため、無線ＬＡＮアクセスポイント３から無線送信された、着信音を格納した楽音パケットを確実に受信することができる。また、主装置１から送信された楽音パケットを受信した無線ＬＡＮアクセスポイント３−２は配下の無線電話端末２が楽音パケットを要求していない場合は破棄する(Ｓ３１６)。
【００９８】
無線電話端末２が、無線LANアクセスポイント３−１から無線LANアクセスポイント３−２への帰属の切り替えを、無線LANハンドオーバーの手順に従って実行すると(Ｓ３１７，Ｓ３１８)、無線ＬＡＮアクセスポイント３−２はＳ３０９で記憶した端末情報を参照する(Ｓ３１９)。
【００９９】
主装置１は着信音を格納した楽音パケットを送信し続ける（Ｓ３２０、Ｓ３２１）が、無線ＬＡＮアクセスポイント３−１は、配下にこの楽音パケットを必要とする無線電話端末２が存在しなくなった為、この楽音パケットを破棄する(Ｓ３２４)。一方でこの楽音パケットを必要とする無線電話端末２が帰属された無線ＬＡＮアクセスポイント３−２はこの楽音パケットを受信すると、この楽音パケットの宛先アドレス（マルチキャストアドレス）を、この楽音パケットの種類「着信音」に対応付けられているマルチキャストアドレス「ＡＡＡ．ＢＢＢ．ＣＣＣ．ＥＥＥ」に変更する(Ｓ３２２)。それから、この楽音パケットを無線送信する（Ｓ３２３）。
【０１００】
次に、２００ＯＫ（オフフック）パケットが無線ＬＡＮアクセスポイント３−２経由で無線電話端末２から主装置１に伝送されると（Ｓ３２５、Ｓ３２６）、無線ＬＡＮアクセスポイント３−２は、着信音を格納した楽音パケットの受信待ち状態停止イベント「２００ＯＫ（オフフック）パケット送信」を検知する（Ｓ３２７）。そして、初期値設定されたマルチキャストアドレスへの更新を指示するマルチキャストアドレス変更指示を生成し（Ｓ３２８）、この指示を格納したパケットを、２００ＯＫ（オフフック）パケットの送信元である無線電話端末２に送信する（Ｓ３２９）。これを受けて、無線電話端末２は、受信するマルチキャストパケットのマルチキャストアドレスを、マルチキャストアドレス変更指示で指定された初期値のマルチキャストアドレスに更新する（Ｓ３３０）。
【０１０１】
初期値への更新を指示した無線ＬＡＮアクセスポイント３−２は、端末状態通知パケットを生成し(Ｓ３３１)、端末状態通知を有線ネットワークに送信し、無線電話端末２は、この楽音パケットが不要になったことを通知する（Ｓ３３２）。通知を受けた無線ＬＡＮアクセスポイント３−１は端末情報記憶部の更新を行う（Ｓ３３３）。
【０１０２】
図１２および図１３は、無線電話端末２が呼を発信する場合におけるパケットの流れを示すシーケンス図であり、無線電話端末２がハンドオーバーする前後のパケットの流れを示している。
【０１０３】
図１２に示すように、ＩＮＶＩＴＥパケットが無線ＬＡＮアクセスポイント３経由で無線電話端末２から主装置１に伝送されると（Ｓ３５１、Ｓ３５２）、無線ＬＡＮアクセスポイント３は、ＤＴを格納した楽音パケットの受信待ち状態開始イベント「ＩＮＶＩＴＥパケット送信」を検知する（Ｓ３５３）。そして、楽音パケットの種類「ＤＴ」に対応付けられているマルチキャストアドレス「ＡＡＡ．ＢＢＢ．ＣＣＣ．ＨＨＨ」への変更を指示するマルチキャストアドレス変更指示を生成し（Ｓ３５４）、この指示を格納したパケットを、ＩＮＶＩＴＥパケットの送信元である無線電話端末２に送信する（Ｓ３５５）。
【０１０４】
これを受けて、無線電話端末２は、受信するマルチキャストパケットのマルチキャストアドレスを、マルチキャストアドレス変更指示で指定されたマルチキャストアドレス「ＡＡＡ．ＢＢＢ．ＣＣＣ．ＨＨＨ」に変更する（Ｓ３５６）。
【０１０５】
次に無線ＬＡＮアクセスポイント３−１は端末情報通知パケット生成し(Ｓ３５７)、この端末情報を格納したパケットを無線ＬＡＮアクセスポイント３−２に送信する(Ｓ３５８)。これを受けた、無線ＬＡＮアクセスポイント３−２は、無線ＬＡＮアクセスポイント３−１の配下の端末情報を記憶する(Ｓ３５９)。
【０１０６】
次に、１００Ｔｒｙｉｎｇパケットが無線ＬＡＮアクセスポイント３−１経由で主装置１から無線電話端末２に伝送され（Ｓ３６０、Ｓ３６１）、それから、主装置１がＤＴを格納した楽音パケットを送信する（Ｓ３６２、Ｓ３６３）。無線ＬＡＮアクセスポイント３−１は、この楽音パケットを受信すると、この楽音パケットの宛先アドレス（マルチキャストアドレス）を、この楽音パケットの種類「ＤＴ」に対応付けられているマルチキャストアドレス「ＡＡＡ．ＢＢＢ．ＣＣＣ．ＨＨＨ」に変更する（Ｓ３６４）。それから、この楽音パケットを無線送信する（Ｓ３６５）。ＩＮＶＩＴＥパケットの送信元である無線電話端末２は、受信するマルチキャストアドレスが「ＡＡＡ．ＢＢＢ．ＣＣＣ．ＨＨＨ」に変更されている。このため、無線ＬＡＮアクセスポイント３−１から無線送信された、ＤＴを格納した楽音パケットを確実に受信することができる。また、主装置１から送信された楽音パケットを受信した無線ＬＡＮアクセスポイント３−２は配下の無線電話端末２が楽音パケットを要求していない場合は破棄する(Ｓ３６６)。
【０１０７】
無線電話端末２が、無線LANアクセスポイント３−１から無線LANアクセスポイント３−２への帰属の切り替えを、無線LANハンドオーバーの手順に従って実行すると(Ｓ３６７，Ｓ３６８)、無線ＬＡＮアクセスポイント３−２はＳ３５９で記憶した端末情報を参照する(Ｓ３６９)。
【０１０８】
主装置１は着信音を格納した楽音パケットを送信し続ける（Ｓ３７０、Ｓ３７１）が、無線ＬＡＮアクセスポイント３−１は、配下にこの楽音パケットを必要とする無線電話端末２が存在しなくなった為、この楽音パケットを破棄する(Ｓ３７２)。一方でこの楽音パケットを必要とする無線電話端末２に帰属された無線ＬＡＮアクセスポイント３−２はこの楽音パケットを受信すると、この楽音パケットの宛先アドレス（マルチキャストアドレス）を、この楽音パケットの種類「ＤＴ」に対応付けられているマルチキャストアドレス「ＡＡＡ．ＢＢＢ．ＣＣＣ．ＨＨＨ」に変更する(Ｓ３７３)。それから、この楽音パケットを無線送信する（Ｓ３７４）。
【０１０９】
次に、ダイヤル情報パケットが無線ＬＡＮアクセスポイント３−２経由で無線電話端末２から主装置１に伝送されると（Ｓ３７５、Ｓ３７６）、無線ＬＡＮアクセスポイント３−２は、ＤＴを格納した楽音パケットの受信待ち状態停止イベント「ダイヤル情報パケット送信」を検知する（Ｓ３７７）。そして、初期値設定されマルチキャストアドレスへの更新を指示するマルチキャストアドレス変更指示を生成し（Ｓ３７８）、この指示を格納したパケットを、ダイヤル情報パケットの送信元である無線電話端末２に送信する（Ｓ３７９）。これを受けて、無線電話端末２は、受信するマルチキャストパケットのマルチキャストアドレスを、マルチキャストアドレス変更指示で指定された初期値のマルチキャストアドレスに更新する（Ｓ３８０）。
【０１１０】
初期値への更新を指示した無線ＬＡＮアクセスポイント３−２は、端末状態通知パケットを生成し(Ｓ３８１)、端末状態通知を有線ネットワークに送信し、無線電話端末２は、この楽音パケットが不要になったことを通知する（Ｓ３８２）。通知を受けた無線ＬＡＮアクセスポイント３−１は端末情報記憶部の更新を行う（Ｓ３８３）。
【０１１１】
次に、図１３に示すように、１８０Ｒｉｎｇｉｎｇパケットが無線ＬＡＮアクセスポイント３経由で主装置１から無線電話端末２に伝送されると（Ｓ４０１、Ｓ４０２）、無線ＬＡＮアクセスポイント３は、ＲＢＴを格納した楽音パケットの受信待ち状態開始イベント「１８０Ｒｉｎｇｉｎｇパケット受信」を検知する（Ｓ４０３）。そして、楽音パケットの種類「ＲＢＴ」に対応付けられているマルチキャストアドレス「ＡＡＡ．ＢＢＢ．ＣＣＣ．ＦＦＦ」への変更を指示するマルチキャストアドレス変更指示を生成し（Ｓ４０４）、この指示を格納したパケットを、１８０Ｒｉｎｇｉｎｇパケットの宛先である無線電話端末２に送信する（Ｓ４０５）。これを受けて、無線電話端末２は、受信するマルチキャストパケットのマルチキャストアドレスを、マルチキャストアドレス変更指示で指定されたマルチキャストアドレス「ＡＡＡ．ＢＢＢ．ＣＣＣ,ＥＥＥ」に変更する（Ｓ４０６）。
【０１１２】
次に無線ＬＡＮアクセスポイント３−１は端末情報通知パケット生成し(Ｓ４０７)、この端末情報を格納したパケットを無線ＬＡＮアクセスポイント３−２に送信する(Ｓ４０８)。これを受けた、無線ＬＡＮアクセスポイント３−２は、無線ＬＡＮアクセスポイント３−１の配下の端末情報を記憶する(Ｓ４０９)。
【０１１３】
次に、主装置１は、ＲＢＴを格納した楽音パケットを送信する（Ｓ４１０、Ｓ４１１）。無線ＬＡＮアクセスポイント３−１は、この楽音パケットを受信すると、この楽音パケットの宛先アドレス（マルチキャストアドレス）を、この楽音パケットの種類「ＲＢＴ」に対応付けられているマルチキャストアドレス「ＡＡＡ．ＢＢＢ．ＣＣＣ．ＥＥＥ」に変更する（Ｓ４１２）。それから、この楽音パケットを無線送信する（Ｓ４１３）。１８０Ｒｉｎｇｉｎｇパケットの宛先である無線電話端末２は、受信するマルチキャストアドレスが「ＡＡＡ．ＢＢＢ．ＣＣＣ．ＦＦＦ」に変更されている。このため、無線ＬＡＮアクセスポイント３−１から無線送信された、ＲＢＴを格納した楽音パケットを確実に受信することができる。また、主装置１から送信された楽音パケットを受信した無線ＬＡＮアクセスポイント３−２は配下の無線電話端末２が楽音パケットを要求していない場合は破棄する(Ｓ４１４)。
【０１１４】
無線電話端末２が、無線LANアクセスポイント３−１から無線LANアクセスポイント３−２への帰属の切り替えを、無線LANハンドオーバーの手順に従って実行すると(Ｓ４１５，Ｓ４１６)、無線ＬＡＮアクセスポイント３−２はＳ３５９で記憶した端末情報を参照する(Ｓ４１７)。
【０１１５】
主装置１は着信音を格納した楽音パケットを送信し続ける（Ｓ４１８、Ｓ４１９）が、無線ＬＡＮアクセスポイント３−１は、配下にこの楽音パケットを必要とする無線電話端末２が存在しなくなった為、この楽音パケットを破棄する(Ｓ４２０)。一方でこの楽音パケットを必要とする無線電話端末２に帰属された無線ＬＡＮアクセスポイント３−２はこの楽音パケットを受信すると、この楽音パケットの宛先アドレス（マルチキャストアドレス）を、この楽音パケットの種類「ＲＢＴ」に対応付けられているマルチキャストアドレス「ＡＡＡ．ＢＢＢ．ＣＣＣ．ＥＥＥ」に変更する(Ｓ４２１)。それから、この楽音パケットを無線送信する（Ｓ４２２）。
【０１１６】
次に、２００ＯＫパケットが無線ＬＡＮアクセスポイント３−２経由で主装置１から無線電話端末２に伝送されると（Ｓ４２３、Ｓ４２４）、無線ＬＡＮアクセスポイント３は、ＲＢＴを格納した楽音パケットの受信待ち状態停止イベント「２００ＯＫパケット受信」を検知する（Ｓ４２５）。そして、初期値設定されたマルチキャストアドレスへの更新を指示するマルチキャストアドレス変更指示を生成し（Ｓ４２６）、この指示を格納したパケットを、２００ＯＫパケットの宛先である無線電話端末２に送信する（Ｓ４２７）。これを受けて、無線電話端末２は、受信するマルチキャストパケットのマルチキャストアドレスを、マルチキャストアドレス変更指示で指定された初期値のマルチキャストアドレスに更新する（Ｓ４２８）。
【０１１７】
初期値への更新を指示した無線ＬＡＮアクセスポイント３−２は、端末状態通知パケットを生成し(Ｓ４２９)、端末状態通知を有線ネットワークに送信し、無線電話端末２は、この楽音パケットが不要になったことを通知する（Ｓ４３０）。通知を受けた無線ＬＡＮアクセスポイント３−１は端末情報記憶部の更新を行う（Ｓ４３１）。
【０１１８】
図１４は、無線電話端末２の通話相手が呼を切断する場合におけるパケットの流れを示すシーケンス図であり、無線電話端末２がハンドオーバーする前後のパケットの流れを示している。
【０１１９】
ＢＹＥパケットが無線ＬＡＮアクセスポイント３−１経由で主装置１から無線電話端末２に伝送されると（Ｓ４５１、Ｓ４５２）、無線ＬＡＮアクセスポイント３−１は、ＢＴを格納した楽音パケットの受信待ち状態開始イベント「ＢＹＥパケット受信」を検知する（Ｓ４５３）。そして、楽音パケットの種類「ＢＴ」に対応付けられているマルチキャストアドレス「ＡＡＡ．ＢＢＢ．ＣＣＣ．ＧＧＧ」への変更を指示するマルチキャストアドレス変更指示を生成し（Ｓ４５４）、この指示を格納したパケットを、ＢＹＥパケットの宛先である無線電話端末２に送信する（Ｓ４５５）。これを受けて、無線電話端末２は、受信するマルチキャストパケットのマルチキャストアドレスを、マルチキャストアドレス変更指示で指定されたマルチキャストアドレス「ＡＡＡ．ＢＢＢ．ＣＣＣ．ＧＧＧ」に変更する（Ｓ４５６）。
【０１２０】
次に無線ＬＡＮアクセスポイント３−１は端末情報通知パケット生成し(Ｓ４５７)、この端末情報を格納したパケットを無線ＬＡＮアクセスポイント３−２に送信する(Ｓ４５８)。これを受けた、無線ＬＡＮアクセスポイント３−２は、無線ＬＡＮアクセスポイント３−１の配下の端末情報を記憶する(Ｓ４５９)。
【０１２１】
次に、主装置１は、ＢＴを格納した楽音パケットを送信する（Ｓ４６０，４６１）。無線ＬＡＮアクセスポイント３−１は、この楽音パケットを受信すると、この楽音パケットの宛先アドレス（マルチキャストアドレス）を、この楽音パケットの種類「ＢＴ」に対応付けられているマルチキャストアドレス「ＡＡＡ．ＢＢＢ．ＣＣＣ．ＧＧＧ」に変更する（Ｓ４６２）。それから、この楽音パケットを無線送信する（Ｓ４６３）。ＢＹＥパケットの宛先である無線電話端末２は、受信するマルチキャストアドレスが「ＡＡＡ．ＢＢＢ．ＣＣＣ．ＧＧＧ」に変更されている。このため、無線ＬＡＮアクセスポイント３から無線送信された、ＢＴを格納した楽音パケットを確実に受信することができる。また、主装置１から送信された楽音パケットを受信した無線ＬＡＮアクセスポイント３−２は配下の無線電話端末２が楽音パケットを要求していない場合は破棄する(Ｓ４６４)。
【０１２２】
無線電話端末２が、無線LANアクセスポイント３−１から無線LANアクセスポイント３−２への帰属の切り替えを、無線LANハンドオーバーの手順に従って実行すると(Ｓ４６５，Ｓ４６６)、無線ＬＡＮアクセスポイント３−２はＳ３５９で記憶した端末情報を参照する(Ｓ４６７)。
【０１２３】
主装置１は着信音を格納した楽音パケットを送信し続ける（Ｓ４６８、Ｓ４６９）が、無線ＬＡＮアクセスポイント３−１は、配下にこの楽音パケットを必要とする無線電話端末２が存在しなくなった為、この楽音パケットを破棄する(Ｓ４７０)。一方でこの楽音パケットを必要とする無線電話端末２に帰属された無線ＬＡＮアクセスポイント３−２はこの楽音パケットを受信すると、この楽音パケットの宛先アドレス（マルチキャストアドレス）を、この楽音パケットの種類「ＢＴ」に対応付けられているマルチキャストアドレス「ＡＡＡ．ＢＢＢ．ＣＣＣ．ＧＧＧ」に変更する(Ｓ４７１)。それから、この楽音パケットを無線送信する（Ｓ４７２）。
【０１２４】
次に、２００ＯＫパケットが無線ＬＡＮアクセスポイント３−２経由で無線電話端末２から主装置１に伝送されると（Ｓ４７３、Ｓ４７４）、無線ＬＡＮアクセスポイント３−２は、ＢＴを格納した楽音パケットの受信待ち状態停止イベント「２００ＯＫパケット送信」を検知する（Ｓ４７５）。そして、初期値設定されたマルチキャストアドレスへの更新を指示するマルチキャストアドレス変更指示を生成し（Ｓ４７６）、この指示を格納したパケットを、２００ＯＫパケットの送信元である無線電話端末２に送信する（Ｓ４７７）。これを受けて、無線電話端末２は、受信するマルチキャストパケットのマルチキャストアドレスを、マルチキャストアドレス変更指示で指定された初期値のマルチキャストアドレスに更新する（Ｓ４７８）。
【０１２５】
初期値への更新を指示した無線ＬＡＮアクセスポイント３−２は、端末状態通知パケットを生成し(Ｓ４７９)、端末状態通知を有線ネットワークに送信し、無線電話端末２は、この楽音パケットが不要になったことを通知する（Ｓ４８０）。通知を受けた無線ＬＡＮアクセスポイント３−１は端末情報記憶部の更新を行う（Ｓ４８１）。
【０１２６】
図１５は、無線電話端末２が呼を保留する場合におけるパケットの流れを示すシーケンス図であり、無線電話端末２がハンドオーバーする前後のパケットの流れを示している。
【０１２７】
保留通知パケットが無線ＬＡＮアクセスポイント３−１経由で無線電話端末２から主装置１に伝送されると（Ｓ５０１、Ｓ５０２）、無線ＬＡＮアクセスポイント３−１は、保留音を格納した楽音パケットの受信待ち状態開始イベント「保留通知パケット送信」を検知する（Ｓ５０３）。そして、楽音パケットの種類「保留音」に対応付けられているマルチキャストアドレス「ＡＡＡ．ＢＢＢ．ＣＣＣ．ＤＤＤ」への変更を指示するマルチキャストアドレス変更指示を生成し（Ｓ５０４）、この指示を格納したパケットを、保留音要求パケットの送信元である無線電話端末２に送信する（Ｓ５０５）。これを受けて、無線電話端末２は、受信するマルチキャストパケットのマルチキャストアドレスを、マルチキャストアドレス変更指示で指定されたマルチキャストアドレス「ＡＡＡ．ＢＢＢ．ＣＣＣ．ＤＤＤ」に変更する（Ｓ５０６）。
【０１２８】
次に無線ＬＡＮアクセスポイント３−１は端末情報通知パケット生成し(Ｓ５０７)、この端末情報を格納したパケットを無線ＬＡＮアクセスポイント３−２に送信する(Ｓ５０８)。これを受けた、無線ＬＡＮアクセスポイント３−２は、無線ＬＡＮアクセスポイント３−１の配下の端末情報を記憶する(Ｓ５０９)。
【０１２９】
次に、主装置１は、保留音を格納した楽音パケットを送信する（Ｓ５１０、Ｓ５１１）。無線ＬＡＮアクセスポイント３−１は、この楽音パケットを受信すると、この楽音パケットの宛先アドレス（マルチキャストアドレス）を、この楽音パケットの種類「保留音」に対応付けられているマルチキャストアドレス「ＡＡＡ．ＢＢＢ．ＣＣＣ．ＤＤＤ」に変更する（Ｓ５１２）。それから、この楽音パケットを無線送信する（Ｓ５１３）。保留音要求パケットの送信元である無線電話端末２は、受信するマルチキャストアドレスが「ＡＡＡ．ＢＢＢ．ＣＣＣ．ＤＤＤ」に変更されている。このため、無線ＬＡＮアクセスポイント３から無線送信された、保留音を格納した楽音パケットを確実に受信することができる。また、主装置１から送信された楽音パケットを受信した無線ＬＡＮアクセスポイント３−２は配下の無線電話端末２が楽音パケットを要求していない場合は破棄する(Ｓ５１４)。
【０１３０】
無線電話端末２が、無線LANアクセスポイント３−１から無線LANアクセスポイント３−２への帰属の切り替えを、無線LANハンドオーバーの手順に従って実行すると(Ｓ５１５，Ｓ５１６)、無線ＬＡＮアクセスポイント３−２はＳ５０９で記憶した端末情報を参照する(Ｓ５１７)。
【０１３１】
主装置１は着信音を格納した楽音パケットを送信し続ける（Ｓ５１８、Ｓ５１９）が、無線ＬＡＮアクセスポイント３−１は、配下にこの楽音パケットを必要とする無線電話端末２が存在しなくなった為、この楽音パケットを破棄する(Ｓ５２０)。一方でこの楽音パケットを必要とする無線電話端末２に帰属された無線ＬＡＮアクセスポイント３−２はこの楽音パケットを受信すると、この楽音パケットの宛先アドレス（マルチキャストアドレス）を、この楽音パケットの種類「保留音」に対応付けられているマルチキャストアドレス「ＡＡＡ．ＢＢＢ．ＣＣＣ．ＤＤＤ」に変更する(Ｓ５２１)。それから、この楽音パケットを無線送信する（Ｓ５２２）。
【０１３２】
次に、保留解除パケットが無線ＬＡＮアクセスポイント３経由で主装置１から無線電話端末２に伝送されると（Ｓ５２３、Ｓ５２４）、無線ＬＡＮアクセスポイント３は、保留音を格納した楽音パケットの受信待ち状態停止イベント「保留解除パケット受信」を検知する（Ｓ５２５）。そして、初期値設定されたマルチキャストアドレスへの変更を指示するマルチキャストアドレス変更指示を生成し（Ｓ５２６）、この指示を格納したパケットを、保留音解除パケットの宛先である無線電話端末２に送信する（Ｓ５２７）。これを受けて、無線電話端末２は、受信するマルチキャストパケットのマルチキャストアドレスを、マルチキャストアドレス変更指示で指定された初期値のマルチキャストアドレスに戻す（Ｓ５２８）。
【０１３３】
初期値への更新を指示した無線ＬＡＮアクセスポイント３−２は、端末状態通知パケットを生成し(Ｓ５２９)、端末状態通知を有線ネットワークに送信し、無線電話端末２は、この楽音パケットが不要になったことを通知する（Ｓ５３０）。通知を受けた無線ＬＡＮアクセスポイント３−１は端末情報記憶部の更新を行う（Ｓ５３１）。  
【０１３４】
以上、本発明の一実施の形態を説明した。
【０１３５】
本実施の形態において、無線ＬＡＮアクセスポイント３は、楽音パケットの受信待ち状態にある無線電話端末２のマルチキャストアドレスを、この無線電話端末２が受信を待っている楽音パケットの種類に対応付けられている所定のマルチキャストアドレスに変更する。また、主装置１より受信した楽音パケットのマルチキャストアドレスを、このマルチキャストパケットの種類に対応付けられている所定のマルチキャストアドレスに変更し、それから無線送信する。このため、本実施の形態によれば、主装置１より受信した楽音パケットを、この楽音パケットと同じ種類の楽音パケットの受信待ち状態にある無線電話端末２のみに受信させることができる。これにより、省電力モード中の無線電話端末２におけるアウェイク状態の持続時間を短縮することができ、無線電話端末２のバッテリ消耗を低減できる。さらに無線端末がマルチキャストパケットを受信しながら無線アクセスポイント間を移動する場合に、滞りなくマルチキャストパケットの受信を継続することが出来る。
【０１３６】
また、本実施の形態において、無線ＬＡＮアクセスポイント３は、楽音パケットの受信待ち状態にある無線電話端末２について、この受信待ち状態が終了した場合に、この無線電話端末２のマルチキャストアドレスを、初期値に設定されているマルチキャストアドレスに戻す。このため、本実施の形態によれば、楽音パケットの受信待ち状態にない無線電話端末２に、楽音パケット以外のマルチキャストパケットを確実に受信させることができる。
【０１３７】
また、本実施の形態において、無線ＬＡＮアクセスポイント３は、無線電話端末２が主装置１と送受する呼制御パケットに基づいて、この無線電話端末２が楽音パケットの受信待ち状態にあるか否かを検出すると共に、この無線電話端末２が楽音パケットの受信待ち状態にある場合に、この無線電話端末２が受信を待っている楽音パケットの種類を検出する。このため、本実施の形態によれば、無線電話端末２および無線ＬＡＮアクセスポイント３間で特別なメッセージを送受しなくても、無線ＬＡＮアクセスポイント３において無線電話端末２の楽音パケットの受信待ち状態を監視することができる。
【０１３８】
また、本実施の形態において、無線ＬＡＮアクセスポイント３は、主装置１より受信した楽音パケットと同じ種類の楽音パケットの受信待ち状態にある無線電話端末２が無線ＬＡＮ５（自管轄エリア）に存在しない場合、この楽音パケットを破棄する。このため、本実施の形態によれば、不要な楽音パケットが無線ＬＡＮ５に送信されることを防止でき、これにより、無線ＬＡＮ５の通信トラフィックを低減できる。
【０１３９】
なお、本発明は上記の実施の形態に限定されるものではなく、その要旨の範囲内で数々の変形が可能である。例えば、無線電話端末２、無線ＬＡＮアクセスポイント３の構成は、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）などの集積ロジックＩＣによりハード的に実行されるものでもよいし、あるいはＤＳＰ（Ｄｉｇｉｔａｌ  Ｓｉｇｎａｌ  Ｐｒｏｃｅｓｓｏｒ）など計算機によりソフトウエア的に実行されるものでもよい。
【０１４０】
また、上記の実施の形態において、無線ＬＡＮアクセスポイント３は、無線電話端末２が主装置１と送受する呼制御パケットに基づいて、この無線電話端末２が楽音パケットの受信待ち状態にあるか否かを検出すると共に、この無線電話端末２が楽音パケットの受信待ち状態にある場合に、この無線電話端末２が受信を待っている楽音パケットの種類を検出する。しかし、本発明はこれに限定されない。無線電話端末２が、楽音パケットの受信待ち状態になった場合に、この楽音パケットの種類と共にその旨を無線ＬＡＮアクセスポイント３に通知し、楽音パケットの受信待ち状態でなくなった場合に、その旨を無線ＬＡＮアクセスポイント３に通知してもよい。
【０１４１】
また、上記の実施の形態では、マルチキャストアドレスを変更するマルチキャストパケットとして、楽音パケットを例にとり説明した。しかし、本発明はこれに限定されない。楽音パケット以外のマルチキャストパケットにも同様に適用できる。
【０１４２】
また、上記の実施の形態では、無線端末として無線電話端末２を用いた場合を例に挙げて説明したが、本発明はこれに限定されない。本発明は、例えばＰＤＡ等の無線端末にも適用することができる。
【図面の簡単な説明】
【０１４３】
【図１】図１は、本発明の一実施の形態が適用された無線電話システムの概略構成図である。
【図２】図２は、無線電話端末２の概略機能ブロック図である。
【図３】図３は、無線電話端末２の省電力モードでの動作フローを説明するための図である。
【図４】図４は、無線ＬＡＮアクセスポイント３の概略図である。
【図５】図５は、マルチキャストアドレス記憶部３０６の登録内容例を模式的に表した図である。
【図６】図６は、楽音パケットの受信待ち状態の検出、および受信を待っている楽音パケットの種類の検出に用いる判断テーブルを模式的に表した図である。
【図７】図７は、端末状態記憶部３０８の登録内容例を模式的に表した図である。
【図８】図８は、無線ＬＡＮアクセスポイント３のマルチキャストアドレス変更指示動作を説明するためのフロー図である。
【図９】図９は、無線ＬＡＮアクセスポイント３の下り中継動作を説明するためのフロー図である。
【図１０】図１０は、無線ＬＡＮアクセスポイント３に無線電話端末２が帰属した場合を説明するためのフロー図である。
【図１１】図１１は、無線電話端末２に呼が着信する場合におけるパケットの流れを示すシーケンス図である。
【図１２】図１２は、無線電話端末２が呼を発信する場合におけるパケットの流れを示すシーケンス図である。
【図１３】図１３は、無線電話端末２が呼を発信する場合におけるパケットの流れを示すシーケンス図である。
【図１４】図１４は、無線電話端末２の通話相手が呼を切断する場合におけるパケットの流れを示すシーケンス図である。
【図１５】図１５は、無線電話端末２が呼を保留する場合におけるパケットの流れを示すシーケンス図である。
【符号の説明】
【０１４４】
１：主装置、２：無線電話端末、３：無線ＬＡＮアクセスポイント、４：有線ＬＡＮ、５：無線ＬＡＮ、２０１：無線ＬＡＮパケット送受信部、２０２：ビーコン受信部、２０３：ＭＭインターフェース部、２０４：動作モード制御部、２０５：動作モード設定部、２０６：通信プロトコル処理部、２０７：マルチキャストアドレス変更部、３０１：有線ＬＡＮパケット送受信部、３０２：無線ＬＡＮパケット送受信部、３０３：ビーコン送信部、３０４：上り中継部、３０５：下り中継部、３０６：マルチキャストアドレス記憶部、３０７：楽音パケット受信待ち端末検出部、３０８：端末状態記憶部、３０９：マルチキャストアドレス変更指示部、３１０：端末情報検知部、３１１：端末情報送信部
【図１】
0005040573.tif 000002
【図２】
0005040573.tif 000003
【図３】
0005040573.tif 000004
【図４】
0005040573.tif 000005
【図５】
0005040573.tif 000006
【図６】
0005040573.tif 000007
【図７】
0005040573.tif 000008
【図８】
0005040573.tif 000009
【図９】
0005040573.tif 000010
【図１０】
0005040573.tif 000011
【図１１】
0005040573.tif 000012
【図１２】
0005040573.tif 000013
【図１３】
0005040573.tif 000014
【図１４】
0005040573.tif 000015
【図１５】
0005040573.tif 000016